(57)【特許請求の範囲】
【請求項１】
扉枠の出入口を開閉するドアの下部に、ドアの幅方向に延びるシール嵌合溝を設け、そのシール嵌合溝内に帯状の弾性体と、その下方にシール支持体とを組込み、上記弾性体のドアの戸先側に位置する一端をドアに固定し、他端にねじ軸を取付け、上記ねじ軸にねじ係合した調整筒の先端が扉枠の竪枠内面に対する当接により軸方向に押圧される作用により前記弾性体を下方に変形させ、その弾性体の変形によりシール支持体を下方に移動させて、シール支持体の下面に設けたシール部材を床面に弾性接触させるようにしたドアボトムのシール装置において、前記ねじ軸に筒状の回り止めピースをスライド自在に嵌合すると共にドアに対して回り止めし、その回り止めピースをスプリングにより調整筒の後端面に押し付け、上記回り止めピースと調整筒の対向面一方に先端に丸みを有する突起を設け、他方に突起が係合可能な係合凹部を設けたことを特徴とするドアボトムのシール装置。
【発明の詳細な説明】
【０００１】
【発明の属する技術分野】
この発明は、閉鎖状態のドアと床面間をシールするドアボトムのシール装置に関するものである。
【０００２】
【従来の技術】
この種のシール装置は、ドアの下端面にドアの幅方向に延びるシール嵌合溝を設け、そのシール嵌合溝内に帯状の弾性体と、その下方にシール支持体とを組込み、上記弾性体をドアの閉鎖時に下方向に変形させ、その変形によりシール支持体を下降させて下面のシール部材を床面に弾性接触させるようにしている。
【０００３】
ここで、ドアの閉鎖に関連させて弾性体を変形させるため、その弾性体のドアの戸先側の一端をドアに固定し、他端にねじ軸を取付け、そのねじ軸にねじ係合した調整筒をドアの吊元側の端面から外方に突出させ、ドアの閉鎖により、その調整筒を扉枠の吊元側竪枠に対する当接により軸方向に移動させて弾性体を下方向に変形させるようにしている。
【０００４】
上記のような調整筒を用いるドアボトムのシール装置においては、調整筒の回動によってその調整筒を軸方向に位置調整することができるため、シール部材の床面に対する接触圧を調整できるという特徴を有する。
【０００５】
【発明が解決しようとする課題】
ところで、上記従来のドアボトムの調整装置においては、ドアの開閉に伴う衝撃や振動等によって調整筒が回転し、シール部材が床面と適切に接触する調整状態にシール部材を保持することができないという問題がある。
【０００６】
この発明の課題は、床面との接触によってシール性を保持するシール部材を接触圧の調整状態に確実に保持することができるドアボトムのシール装置を提供することである。
【０００７】
【課題を解決するための手段】
上記の課題を解決するために、この発明においては、扉枠の出入口を開閉するドアの下部に、ドアの幅方向に延びるシール嵌合溝を設け、そのシール嵌合溝内に帯状の弾性体と、その下方にシール支持体とを組込み、上記弾性体のドアの戸先側に位置する一端をドアに固定し、他端にねじ軸を取付け、上記ねじ軸にねじ係合した調整筒の先端が扉枠の竪枠内面に対する当接により軸方向に押圧される作用により前記弾性体を下方に変形させ、その弾性体の変形によりシール支持体を下方に移動させて、シール支持体の下面に設けたシール部材を床面に弾性接触させるようにしたドアボトムのシール装置において、前記ねじ軸に筒状の回り止めピースをスライド自在に嵌合すると共に、ドアに対して回り止めし、その回り止めピースをスプリングにより調整筒の後端面に押し付け、上記回り止めピースと調整筒の対向面一方に先端に丸みを有する突起を設け、他方に突起が係合可能な係合凹部を設けた構成を採用している。
【０００８】
【発明の実施の形態】
以下、この発明の実施の形態を図面に基づいて説明する。
【０００９】
図１に示すように、扉枠１の出入口２を開閉するドア３は扉枠１の竪枠４に取付けたヒンジ５を中心として回動自在に支持されている。
【００１０】
ドア３の下部には、図３に示すように、ねじ止めによる手段を介して型枠６が取付けられている。
【００１１】
型枠６はドア３の幅方向に長く延び、その型枠６の下面に型枠６の長手方向に延びるシール嵌合溝７が設けられている。
【００１２】
図１および図３に示すように、上記シール嵌合溝７内には帯状の弾性体８と、その下方にシール支持体９とが組込まれている。シール支持体９はドア３の幅方向に長く延び、その下面には床面に対して接触可能なシール部材１０が取付けられている。
【００１３】
また、シール支持体９の上面には、両端方向に延びる溝１１が形成され、その溝１１の両側位置に取付けたサイドシール１２はシール嵌合溝７の内面両側に軽く接触してその間をシールしている。
【００１４】
シール支持体９の溝１１には弾性体８の長さ方向中央部が挿入され、その弾性体８の中央部に固定した連結ピース１３がピン１４を介してシール支持体９に回動自在に連結されている。
【００１５】
弾性体８のドア３の戸先側に位置する一端は型枠６に固定され、他端には、図２に示すように、ねじ軸１５が連結されている。ねじ軸１５には調整筒１６がねじ込まれ、その調整筒１６の先端部はドア３の吊元側の側面から外方に突出している。
【００１６】
また、ねじ軸１５には筒状の回り止めピース１７と、スプリング１８とが嵌合され、上記スプリング１８の弾力によって回り止めピース１７は調整筒１６の後端面に押し付けられている。
【００１７】
回り止めピース１７は、ねじ軸１５に対してスライド自在に設けられ、かつ回り止めされている。その回り止めのため、実施の形態では回り止めピース１７の外周を多角形とし、その回り止めピース１７をシール嵌合溝７の上部に形成した角形の案内溝１９内にスライド自在に挿入している。
【００１８】
図４に示すように、回り止めピース１７の先端面には先端に丸みを有する複数の突起２０が設けられ、一方、調整筒１６の後端面には上記突起２０が係合可能な係合凹部２１が設けられ、その係合凹部２１の内面は円弧面とされている。
【００１９】
図２および図４は、ドア３が出入口２を閉じる閉鎖状態を示し、調整筒１６は扉枠１の吊元側の竪枠４の内面に対する当接によって軸方向に押し込まれている。
【００２０】
調整筒１６の押し込みによって、図１に示すように、弾性体８の中央部は下方に変形し、その変形によりシール支持体９は下降し、下面のシール部材１０が床面に弾性接触してドア３と床面間をシールしている。
【００２１】
ドア３を開放させると、調整筒１６は竪枠４の内面から離反するため、押し込みが解除され、弾性体８は変形時の復元弾力によって扁平な自然状態に戻り、シール支持体９が上方に引き上げられてシール部材１０が床面から離反する。このため、ドア３をスムースに開放させることができる。
【００２２】
ここで、ドア３の開閉に伴う衝撃や振動によって調整筒１６が回転すると、調整筒１６が軸方向に変位し、ドア３を閉じたときの調整筒１６の押し込み量が変化し、シール部材１０の床面に対する接触圧が変化して、シール性が損なわれ、あるいはシール部材１０が床面に強く接触することになる。
【００２３】
しかし、図２および図４に示すように、調節筒１６の後端面に設けた係合凹部２１と回り止めピース１７の先端面に設けた突起２０の係合によって調整筒１６は回り止めされているため、ドア３の開閉に伴なう衝撃や振動等によって調整筒１６が回転することはない。このため、シール部材１０は床面に適切に接触する調整状態に確実に保持される。
【００２４】
なお、ドア３の開放状態において、調整筒１６を回転すると、係合凹部２１の内面で突起２０の丸みのある先端が押されて回り止めピース１７がスプリング１８の弾力に抗して後退し、調整筒１６を軸方向位置調整することができる。この調整筒１６の位置調整により、ドア３の閉鎖時における弾性体８の変形量が変化し、シール部材１０の床面に対する接触圧を調整することができる。
【００２５】
なお、実施の形態によれば、調整筒１６に係合凹部２１を設け、回り止めピース１７に突起２０を設けたが、その逆に、調整筒１６に突起を設け、回り止めピース１７に係合凹部を設けてもよい。
【００２６】
また、図３に示す型枠６を省略し、ドア３の下面にシール嵌合溝７を直接設けるようにしてもよい。
【００２７】
【発明の効果】
以上のように、この発明においては、ねじ軸に対して回り止めされ、かつスライド自在に設けられた回り止めピースをスプリングの弾力によって調整筒に押し付け、その回り止めピースと調整筒の対向面における一方に突起を設け、他方に係合凹部を設けたので、ドアの開閉に伴う衝撃や振動等によって調整筒が自然に回転するのを防止することができ、シール部材を床面に対して適切に接触する調整状態に確実に保持することができる。
【００２８】
また、突起は先端に丸みを有するため、調整筒に回転力を付与すると、突起が係合凹部から外れ、調整筒を回転させることができる。このため、従来と同様に調整筒の回転によってシール部材の接触圧を調整することができる。
【図面の簡単な説明】
【図１】この発明の実施の形態を示す一部切欠正面図
【図２】図１の要部を拡大して示す断面図
【図３】図２のＩＩＩ  −ＩＩＩ  線に沿った断面図
【図４】図２のＩＶ−ＩＶ線に沿った断面図
【符号の説明】
１  扉枠
２  出入口
３  ドア
７  シール嵌合溝
８  弾性体
９  シール支持体
１０  シール部材
１５  ねじ軸
１６  調整筒
１７  回り止めピース
１８  スプリング
２０  突起
２１  係合凹部
【図１】
0003615847.tif 000002
【図２】
0003615847.tif 000003
【図３】
0003615847.tif 000004
【図４】
0003615847.tif 000005